(57)【要約】【課題】  従来のような専用端末のデータ入力器を必要とせず、各客室毎に配設されたカード式電気錠の初期設定を誰でも簡単に行える。【解決手段】  カード発行制御装置１０は、施解錠に必要な施解錠情報を宿泊者が使用する宿泊者用カード３１に書き込んでカードを発行するもので、カード式電気錠２０の初期設定に必要な設定情報を作成する情報制御部１１と、情報制御部１１で作成した設定情報を初回発行時の宿泊者用カード３１のみに書き込んでカードを発行するカード発行部１２とを備える。カード式電気錠２０は、ホテルの客室毎に配設され、宿泊者用カード３１に記憶された施解錠情報の正当性を判別し、施解錠情報を正常に認証したときのみ錠前を施解錠する。このカード式電気錠２０は、カード発行制御装置１０が初回発行した宿泊者用カード３１から設定情報を読み込み、この読み込んだ設定情報に基づいてカード式電気錠２０の初期設定を行う。【選択図】    図１
2006265858.tif 000002
【特許請求の範囲】
【請求項１】
錠前の施解錠に必要な施解錠情報を宿泊者が利用する宿泊者用カードに書き込んでカードを発行するカード発行制御装置と、ホテルの客室毎に配設され、前記宿泊者用カードに記憶された施解錠情報の正当性を判別し、前記施解錠情報を正常に認証したときのみ前記錠前を施解錠するカード式電気錠とを備えたホテルカードロックシステムにおいて、
前記カード発行制御装置は、前記カード式電気錠の初期設定に必要な設定情報を作成する情報制御部と、該情報制御部で作成した設定情報を前記宿泊者用カードの初回発行時に書き込んでカードを発行するカード発行部とを備え、
前記カード式電気錠は、前記カード発行制御装置により発行された前記初回発行時の宿泊者用カードの設定情報を読み込み、この読み込んだ設定情報に基づいて前記カード式電気錠の初期設定を行う電気錠制御部を備えたことを特徴とするホテルカードロックシステム。
【請求項２】
錠前の施解錠に必要な施解錠情報を宿泊者が使用する宿泊者用カードに書き込んでカードを発行するカード発行制御装置と、ホテルの客室毎に配設され、前記宿泊者用カードに記憶された施解錠情報の正当性を判別し、前記施解錠情報を正常に認証したときのみ前記錠前を施解錠するカード式電気錠とを備えたホテルカードロックシステムにおいて、
前記カード発行制御装置は、前記カード式電気錠の初期設定に必要な設定情報を作成する情報制御部と、該情報制御部で作成した設定情報を前記カード式電気錠の初期設定時に使用する設定用カードに書き込んでカードを発行するカード発行部とを備え、
前記カード式電気錠は、前記カード発行制御装置により発行された前記設定用カードの設定情報を読み込み、この読み込んだ設定情報に基づいて前記カード式電気錠の初期設定を行う電気錠制御部を備えたことを特徴とするホテルカードロックシステム。
【請求項３】
前記設定用カードは、前記カード式電気錠の初期設定が終了したときに、前記電気錠制御手段からの書換情報に基づいて非常時に使用する非常用カードに書き換えられることを特徴とする請求項２記載のホテルカードロックシステム。
【請求項４】
前記カード式電気錠は、カードの情報を読み込んだときのみ、時間情報が重畳された標準電波を外部の送信所から所定間隔で受信し、この受信した標準電波に重畳される時間情報に基づいて内部時計を前記標準時間に自動修正する時計管理部と、
該時計管理部で自動修正された前記内部時計の時間に基づく前記カード式電気錠の履歴情報を記憶する記憶手段とを備え、
前記カード式電気錠に関する履歴情報を書き込むための履歴カードの情報が読み込まれたときに、前記記憶手段に記憶された履歴情報を前記履歴カードに書き込むことを特徴とする請求項１〜３の何れかに記載のホテルカードロックシステム。
【発明の詳細な説明】
【技術分野】
【０００１】
本発明は、錠前を施解錠するために必要な施解錠情報が予め記憶されたカードを用い、このカードに記憶された施解錠情報の正当性を判別し、施解錠情報を正常に認証したときのみ錠前を施解錠するカードロックシステムに係り、特に、ホテルの客室に配設されたカード式電気錠の初期設定を容易に行うことができるホテルカードロックシステムに関するものである。
【背景技術】
【０００２】
従来より、ホテルでは客の宿泊時にチェックインからチェックアウトまでを１枚のカード（例えば磁気カードやＩＣカードなど）で管理するホテルカードロックシステムを採用している。
【０００３】
このホテルカードロックシステムでは、客室入口において、各部屋のドアに配設されたエスカチオン（座金）にカードの情報を読み取るためのカードリーダが備えられている。このカードリーダのカード読取部で操作されるカードには、例えばチェックイン／アウトの日時や客室番号などの施解錠情報がチェックイン時にホテル従業員によるカード発行制御器の操作によって書き込まれ、記憶されるようになっている。
【０００４】
そして、客がホテルに宿泊する場合には、客がフロントでチェックインの手続きを済ませると、上記カード発行器によって発行された１枚のカードがホテル従業員から客に手渡される。カードが手渡された客は、宿泊する部屋の扉に配設されたカードリーダのカード読取部で操作すると、そのカード内の施解錠情報が読み込まれる。そして、読み込まれた施解錠情報が入室を許可してよいと情報と判断されると、その部屋のドアの電気錠が自動的に解錠制御され、ドアの開放が可能となる。これにより、カードを所有する客はその部屋に入室することができる。なお、下記特許文献１には、上記のように各種情報が記憶されたカードを用いて入退室を管理するシステムが開示されている。
【特許文献１】特開平９−２９７８６５号公報
【発明の開示】
【発明が解決しようとする課題】
【０００５】
ところで、上記のようなホテルカードロックシステムを採用した場合、通常、工場出荷状態でのカード式電気錠は工事中設定（コンストラクションモード：工事中期間に施工業者が所持する施工用カードでの錠前の施解錠を行うモード）となっており、ホテル運用を開始する際には、各客室に配設されたオフライン状態にあるカード式電気錠の初期設定を行う必要がある。このため、従来は、例えばホテル従業員や保守員、サービスマンが専用端末であるデータ入力器を用い、１部屋ずつ例えばホテルコード、客室番号、現在時刻などのカード式電気錠に必要な設定情報の設定を手動入力により行っていた。しかしながら、このような初期設定を行う場合、各客室のカード式電気錠毎に１台ずつ設定しなければならず、設定作業が煩雑であり、設定に手間と時間がかかるという問題があった。
【０００６】
また、この種の設定に用いる専用端末のデータ入力器は、カード式電気錠の初期設定の他、各電気錠に記録されている操作履歴やエラー履歴などの各種データの回収など様々な機能を備えている。このため、実際にデータ入力器を操作するには、ある程度機器の取り扱いに慣れる必要があるが、データ入力器自体が多機能化しており、その操作方法も複雑化しているため、操作を覚えること自体が容易ではなかった。しかも、このデータ入力器は、上述した初期設定以外では、例えばエラー発生時、客室での盗難などのように使用範囲が限定され、頻繁に操作される機器でもないため、急にデータ入力器を使用するときは、操作経験のある者に頼らざるを得なかった。
【０００７】
さらに、この種のホテルカードロックシステムに使用されるカード式電気錠では、チェックイン・チェックアウトの時間を正確にするため、内部時計によって時間管理されている。ところが、カード式電気錠の電源が電池の場合、電池を外した状態が続いたときに時計データが狂うことがあるため、専用端末により内部時計の時間修正を行う必要があった。
【０００８】
そこで、本発明は上記問題点に鑑みてなされたものであり、従来のような専用端末のデータ入力器を使用することなく、カード式電気錠の初期設定を容易に行うことができるホテルカードロックシステムを提供することを目的とするものである。
【課題を解決するための手段】
【０００９】
上記した目的を達成するために、請求項１に記載されたホテルカードロックシステムは、錠前の施解錠に必要な施解錠情報を宿泊者が利用する宿泊者用カードに書き込んでカードを発行するカード発行制御装置と、ホテルの客室毎に配設され、前記宿泊者用カードに記憶された施解錠情報の正当性を判別し、前記施解錠情報を正常に認証したときのみ前記錠前を施解錠するカード式電気錠とを備えたホテルカードロックシステムにおいて、
前記カード発行制御装置は、前記カード式電気錠の初期設定に必要な設定情報を作成する情報制御部と、該情報制御部で作成した設定情報を前記宿泊者用カードの初回発行時に書き込んでカードを発行するカード発行部とを備え、
前記カード式電気錠は、前記カード発行制御装置により発行された前記初回発行時の宿泊者用カードの設定情報を読み込み、この読み込んだ設定情報に基づいて前記カード式電気錠の初期設定を行う電気錠制御部を備えたことを特徴とする。
【００１０】
請求項２に記載されたホテルカードロックシステムは、錠前の施解錠に必要な施解錠情報を宿泊者が使用する宿泊者用カードに書き込んでカードを発行するカード発行制御装置と、ホテルの客室毎に配設され、前記宿泊者用カードに記憶された施解錠情報の正当性を判別し、前記施解錠情報を正常に認証したときのみ前記錠前を施解錠するカード式電気錠とを備えたホテルカードロックシステムにおいて、
前記カード発行制御装置は、前記カード式電気錠の初期設定に必要な設定情報を作成する情報制御部と、該情報制御部で作成した設定情報を前記カード式電気錠の初期設定時に使用する設定用カードに書き込んでカードを発行するカード発行部とを備え、
前記カード式電気錠は、前記カード発行制御装置により発行された前記設定用カードの設定情報を読み込み、この読み込んだ設定情報に基づいて前記カード式電気錠の初期設定を行う電気錠制御部を備えたことを特徴とする。
【００１１】
請求項３に記載されたホテルカードロックシステムは、請求項２のホテルカードロックシステムにおいて、
前記設定用カードは、前記カード式電気錠の初期設定が終了したときに、前記電気錠制御手段からの書換情報に基づいて非常時に使用する非常用カードに書き換えられることを特徴とする。
【００１２】
請求項４に記載されたホテルカードロックシステムは、請求項１〜３の何れかのホテルカードロックシステムにおいて、
前記カード式電気錠は、カードの情報を読み込んだときのみ、時間情報が重畳された標準電波を外部の送信所から所定間隔で受信し、この受信した標準電波に重畳される時間情報に基づいて内部時計を前記標準時間に自動修正する時計管理部と、
該時計管理部で自動修正された前記内部時計の時間に基づく前記カード式電気錠の履歴情報を記憶する記憶手段とを備え、
前記カード式電気錠に関する履歴情報を書き込むための履歴カードの情報が読み込まれたときに、前記記憶手段に記憶された履歴情報を前記履歴カードに書き込むことを特徴とする。
【発明の効果】
【００１３】
本発明のホテルカードロックシステムによれば、カード式電気錠の初期設定を行う際に、初回発行時の宿泊者用カードや設定用カードに記憶させた設定情報をカード式電気錠に読み込ませ、この読み込んだ設定情報に基づいてカード式電気錠の初期設定を行う。このため、従来のような専用端末のデータ入力器が不要となり、特別な入力操作の手間が省け、カードを媒体としてカード式電気錠の初期設定を誰でも簡単に行うことができる。
【００１４】
また、カード式電気錠は、カードの情報を読み込んだときのみ、標準電波を受信して内部時計の時間を自動修正し、この自動修正された内部時計の時間に基づく履歴情報が記憶手段に記憶され、この履歴情報が履歴カードに書き込まれる。このため、従来のような専用端末を用いた定期的な時間修正が不要となり、正確な時間によるカード式電気錠に関する履歴情報を履歴カードに記録することができる。しかも、内部時計の時間は、カードの情報を読み込んだときのみ自動修正されるので、省電力化も図ることができる。
【発明を実施するための最良の形態】
【００１５】
以下、本発明の実施の形態について、添付した図面を参照しながら具体的に説明する。図１は本発明に係るホテルカードロックシステムの概略を示すシステム構成図、図２は本発明に係るホテルカードロックシステムの第１実施例を示す説明図、図３は本発明に係るホテルカードロックシステムの第２実施例を示す説明図である。
【００１６】
カードロックシステムは、例えば磁気カード、ＩＣカードなどの所定の記憶領域を有する各種カードに錠前を施解錠するために必要な施解錠情報（例えば暗証コード、カード番号、カードＩＤなど）を書き込んでカードを発行し、この発行されたカードに記憶された施解錠情報の正当性を判別し、施解錠情報を正常に認証したときのみ錠前を電気的に施解錠制御するものである。
【００１７】
本例のホテルカードロックシステム１は、上記のようなカードロックシステムをホテルに採用したものであり、図１に示すように、カード発行制御装置１０とカード式電気錠２０とを備えて概略構成され、各客室毎にはカード式電気錠２０が配設されており、各カード式電気錠２０の初期設定に関する設定情報をカード発行制御装置１０によって予めカードに書き込んで発行し、この発行されたカードから設定情報を読み込むことでカード式電気錠の初期設定が行えるようになっている。
【００１８】
まず、本例で使用するカードについて説明する。本例で使用するカードは、例えば磁気カード、ＩＣカードなどの所定の記憶領域を有するカード状記憶媒体で構成される。カードの種類としては、宿泊者が客室の入退室時に使用する宿泊者用カード３１と、ホテル従業員や保守員、サービスマンがホテル管理用に使用する管理用カード３２とがある。
【００１９】
宿泊者用カード３１は、宿泊者が使用するもので、宿泊する客室の扉に配設されたカード式電気錠２０の錠前を施解錠するための情報として、例えば暗証コード、カード番号、カードＩＤや宿泊者情報などの施解錠情報、例えばホテルコード、ループタイプ、ルームナンバー、フロアナンバーなどのカード式電気錠２０毎の設定情報、カード式電気錠２０のエラーコードなどの各種情報を記憶する機能を有するカードである。
【００２０】
また、管理用カード３２は、ホテル従業員や保守員、サービスマンが使用するもので、履歴カード３２ａと設定用カード３２ｂがある。履歴カード３２ａは、カード式電気錠２０に記憶された例えば錠の施錠／解錠の回数や日時などカード式電気錠２０に関する履歴情報が書き込まれるカードである。設定用カード３２ｂは、カード式電気錠２０に必要な設定情報を記憶し、この設定情報に基づいた初期設定が完了したときにはカード内容が書き換えられ、停電時などカード発行制御装置１０から宿泊者用カード３１が発行できない場合に使用する非常用カード３２ｂに変更する機能を備えたカードである。
【００２１】
次に、カード発行制御装置１０について詳細に説明する。カード発行制御装置１０は、例えばフロントやホテル管理室などのホテル従業員専用の場所に設置され、ホテルで使用する各種カードに関する管理、カード発行に関する処理制御など、発行するカードに関する様々な処理を行う。このカード発行制御装置１０は、図１に示すように、情報制御部１１、カード発行部１２、操作部１３、表示部１４を備えて構成される。
【００２２】
情報制御部１１は、カード発行時に所定のカードに書き込まれる各種情報の作成や処理制御を行う。この情報制御部１１は、情報作成部１１ａと、情報記憶部１１ｂとを備えて構成される。
【００２３】
情報作成部１１ａは、ホテルの客室毎に配設されるカード式電気錠２０を施解錠する際に必要な施解錠情報、各客室毎のカード式電気錠２０の設定情報、ホテル管理に必要な情報（例えばチェックイン／アウトの日時、顧客情報）など、発行するカードに応じたカード情報を作成している。そして、情報作成部１１ａで作成されたカード情報は、後述する情報記憶部１１ｂとカード発行部１２にそれぞれ出力される。
【００２４】
情報記憶部１１ｂは、例えば磁気的、光学的記憶媒体や半導体メモリなどで構成される。この情報記憶部１１ｂは、情報作成部１１ａで作成された施解錠情報や設定情報などの各種情報を記憶する他、カード発行制御装置１０の駆動制御や出力制御に関する各種情報などを記憶している。
【００２５】
カード発行部１２は、必要に応じて各種情報を読み込む読込手段と、情報制御部１１で作成された施解錠情報、各客室毎のカード式電気錠２０の設定情報、カードの利用を制限する情報などの各種情報をカードに書き込む書込手段とを備えたカードリーダー／ライターで構成される。
【００２６】
カード発行部１２がモーター式の場合は、例えば従業員が操作部１３を操作し、施解錠情報や設定情報などカード（磁気カードやＩＣカード）毎に必要な各種情報が設定入力されると、この設定入力された各種情報をカードに書き込み、カードを発行している。また、情報を必要に応じて読み込んでいる。
【００２７】
また、カード発行部１２が手動スワイプ式の場合には、発行するカード（磁気カード）をスライドさせるための長溝からなるスリットが本体に形成され、手動により磁気カードをスリット内でスライドさせた際、磁気カードの磁気面に位置して磁気ヘッドが内蔵されている。この手動スワイプ式のカード発行部１２では、従業員がカード発行制御装置１０を操作し、施解錠情報やカード利用に際して必要な情報を設定入力した後、手動により磁気カードをスリット内でスライドさせて磁気カードの磁気面に施解錠情報を書き込み、カードを発行している。
【００２８】
操作部１３は、例えばテンキーや操作ボタンなどで構成され、施解錠情報や設定情報を作成したり、カード発行制御装置１０に関する操作情報などの各種情報を入力する際に操作される。表示部１４は、例えばＬＥＤや液晶などの表示器で構成され、作成した施解錠情報や設定情報などの各種カードに書き込まれる情報、操作部１３で入力された情報、各種設定画面などのカード発行制御装置１０に関する各種情報を表示している。
【００２９】
次に、カード式電気錠２０について詳細に説明する。カード式電気錠２０は、ホテルの各客室毎に配設され、図１に示すように、時計管理部２１、電気錠制御部２２、駆動機構２３、電源部２４を備えて構成される。
【００３０】
時計管理部２１は、電波受信手段２１ａ、時計データ制御手段２１ｂ、内部時計２１ｃを備えた電波時計で構成される。電波時計としての時計管理部２１では、標準電波送信所から送信される時間情報（セシウム原子時計により得られる「時、分、通算日、年（西暦下２桁）、曜日、うるう秒情報、時と分に対応するパリティ、予備ビット、停波予告情報」といった情報が、モールス信号のような形で電波の断続によって時間を示す符号となったものを指す）を重畳した標準電波を、電波受信手段２１ａが所定間隔で受信して増幅を行い、この増幅した受信パルスを時計データ制御手段２１ｂに送出している。時計データ制御手段２１ｂでは、電波受信手段２１ａからの時間信号の解読し、この解読された時計情報に基づいて内部時計２１ｃの時間を自動的に修正している。なお、時計管理部２１は、通常電源がＯＦＦの状態となっており、カードのカード情報が読み込まれて、後述する電気錠制御手段から時計制御信号が入力されたときのみ電源をＯＮにして電波受信手段２１ａが受信した標準電波に基づいて内部時計２１ｃの時間を自動的に修正する。
【００３１】
電気錠制御部２２は、カード情報読書手段２２ａ、電気錠制御手段２２ｂ、記憶手段２２ｃを備えて構成される。
【００３２】
カード情報読書手段２２ａは、各種カード（宿泊者用カード３１や管理用カード３２）に記憶された情報を読み取るカード情報読取手段と、必要に応じてカードに情報を書き込むためのカード情報書込手段の機能を備えたカードリーダ／ライタで構成される。
【００３３】
ここで、カード情報読書手段２２ａが各種カード情報を読み込む場合について説明する。カード情報読書手段２２ａは、カード式電気錠２０の初期設定をする場合において、初回発行時の宿泊者用カード３１又は設定用カード３２ｂから設定情報を読み込む。さらに説明すると、初回発行された宿泊者用カード３１の場合は、この宿泊者用カード３１に記憶された設定情報と施解錠情報とを読み込み、この読み込んだ設定情報と施解錠情報を電気錠制御手段２２ｂに出力している。また、設定用カード３２ｂの場合には、この設定用カード３２ｂに記憶された設定情報を読み込んで電気錠制御手段２２ｂに出力すると同時に、後述する電気錠制御手段２２ｂからの書換情報に基づいて設定用カード３２ｂを非常用カード３２ｂに変更するためにカード内容の書き換えを行う。
【００３４】
次に、カード情報読書手段２２ａで各種情報を書き込む場合について説明する。カード情報読書手段２２ａにおいて、履歴カード３２ａの情報が読み込まれた場合は、電気錠制御手段２２ｂからの書込信号に基づいて、記憶手段２２ｃに記憶されたカード式電気錠２０の施解錠に関する履歴情報を履歴カード３２ａに書き込む。また、カード式電気錠２０にエラーが発生した場合は、電気錠制御手段２２ｂから出力されるエラーコードをエラー発生時の日時情報と合せて宿泊者用カード３１に書き込む。
【００３５】
なお、カード式電気錠２０の施解錠を行う場合においては、施解錠時に使用する宿泊者用カード３１から錠前を施解錠するために必要な施解錠情報を読み取り、この読み取った施解錠情報を電気錠制御手段２２ｂに出力している。
【００３６】
電気錠制御手段２２ｂは、例えばＣＰＵなどのマイクロコンピュータなどで構成される。電気錠制御手段２２ｂは、カード情報読書手段２２ａが各種カードから情報を読み込むと、内部時計２１ｃを標準時間に合せるための時計制御信号を時計管理部２１に出力している。また、電気錠制御手段２２ｂは、ホテルの施工終了後、カード情報読書手段２２ａが初回発行時の宿泊者用カード３１又は設定用カード３２ｂの設定情報を読み取ったときに、施工時中に施工関係者が使用する施工時用カードを使用不可にする。
【００３７】
ここで、電気錠制御手段２２ｂの処理内容について説明する。各客室毎に配設されたカード式電気錠２０の初期設定を行う場合には、初回発行時の宿泊者用カード３１又は設定用カード３２ｂから読み込まれた設定情報によりカード式電気錠２０の初期設定制御を行った後、その設定情報を記憶手段２２ｃに記憶している。
【００３８】
なお、設定用カード３２ｂから設定情報が読み込まれた場合は、初期設定終了後に設定用カード３２ｂを非常用カード３２ｂに書き換えるための書換情報をカード情報読書手段２２ａに出力している。
【００３９】
また、履歴カード３２ａの情報が読み込まれた場合は、記憶手段２２ｃに記憶されたカード式電気錠２０の施解錠に関する履歴情報を書き込むための書込信号をカード情報読書手段２２ａに出力している。
【００４０】
さらに、カード式電気錠２０の施解錠を行う場合は、宿泊者用カード３１から読み込まれた施解錠情報と、記憶手段２２ｃに予め記憶された認証用施解錠情報とを照合してその正当性を判別し、施解錠情報を正常に認証したときのみ錠前を施解錠制御している。
【００４１】
また、電気錠制御手段２２ｂは、カード式電気錠２０でエラーが発生した場合、各エラーに基づいたエラーコードをカード情報読書手段２２ａに出力している。さらに、電気錠制御手段２２ｂは、錠前の施解錠に関する施解錠情報の入出力制御の他、錠前の施解錠時に駆動機構を駆動させるための駆動制御信号の出力、電源部から駆動機構への電源供給の制御、錠前からモニタ情報として入力される状態信号（例えば、扉の開閉状態信号、錠前の施解錠状態信号）の判別処理などを行っている。
【００４２】
記憶手段２２ｃは、例えば磁気的、光学的記憶媒体若しくはＲＯＭ、ＲＡＭなどの半導体メモリで構成される。この記憶手段２２ｃは、カード式電気錠２０を構成している各機器の機器情報、カード読書手段で読み込んだ設定情報、カード情報読書手段２２ａからの施解錠情報が錠前を施解錠する正当な情報であるか否かを判別するための認証用施解錠情報、モニタ情報としての状態信号（扉の開閉状態信号や錠前の施解錠状態信号）などの施解錠制御に関する各種データを記憶している。また、記憶手段２２ｃは、内部時計２１ｃの時間情報に基づく錠前の施解錠情報のログを保存する他、時計データ制御手段２１ｂによる内部時計２１ｃの修正データを一時的に記憶したり、標準電波の更新履歴など時計管理部２１に関する各種情報も記憶している。
【００４３】
駆動機構２３は、例えばモータやソレノイドなどの駆動装置と錠前で構成され、電気錠制御手段２２ｂから入力される駆動制御信号により錠前を施錠または解錠するべく駆動し、扉枠の係止穴に対してデッドボルトを突出（施錠時）又は引き込む（解錠時）ことにより錠前が施解錠される。
【００４４】
電源部２４は、例えば商用電源（ＡＣ１００Ｖ）である外部電源で構成され通電金具を介してカード式電気錠２０１を構成する各部に電源を供給する。また、電源部２４は、錠前やエスカチオン（化粧板）の内部に着脱可能に設けられる電池で構成し、この電池からカード式電気錠２０１を構成する各部に電源を供給することもできる。
【００４５】
次に、上述したホテルカードロックシステム１の動作として、図２および図３を参照しながら第１実施例と第２実施例について具体的に説明する。
【００４６】
（第１実施例）
図２に示すように、第１実施例で説明するホテルカードロックシステム１は、ホテル運用にあたってカード式電気錠２０の初期設定を行う際、初回発行時の宿泊者用カード３１に設定情報を記憶させ、宿泊者用カード３１の設定情報をカード式電気錠２０に読み込ませてカード式電気錠２０の初期設定を行う動作例である。
【００４７】
ホテル運用時、宿泊客が宿泊する客室のカード式電気錠２０の初期設定が行われていない場合、フロントの従業員は、宿泊する客室に配設されたカード式電気錠２０の設定情報を書き込んだ宿泊者用カード３１をカード発行制御装置１０により発行する。そして、この発行された宿泊者用カード３１を宿泊客に手渡す。宿泊客は、手渡された宿泊者用カード３１の情報を、宿泊する客室のカード式電気錠２０に読み込ませる。このとき、宿泊者用カード３１からは、設定情報と、その客室のカード式電気錠２０を解錠するために必要な施解錠情報が読み込まれる。宿泊者用カード３１の情報が読み込まれると、電気錠制御手段２２ｂから時計管理部２１に時計制御信号が出力され、内部時計２１ｃが標準時間に自動修正される。このとき、施工時中に施工関係者が使用していた施工時用カードは使用不可に制御される。そして、電気錠制御手段２２ｂは、宿泊者用カード３１から読み込んだ設定情報に基づいてカード式電気錠２０の初期設定を行う。続いて、宿泊者用カード３１から読み込んだ施解錠情報と記憶手段２２ｃに予め記憶された認証用施解錠情報とを照合してその正当性を判別し、施解錠情報を正常に認証したときのみ錠前を施解錠制御する。
【００４８】
（第２実施例）
図３に示すように、第２実施例で説明するホテルカードロックシステム１は、ホテル運用にあたってカード式電気錠２０の初期設定を行う際、設定用カード３２ｂに設定情報を記憶させ、設定用カード３２ｂの設定情報をカード式電気錠２０に読み込ませてカード式電気錠２０の初期設定を行う動作例である。
【００４９】
従業員は、ホテルの施工終了後、各客室毎に配設されたカード式電気錠２０の設定情報を書き込んだ設定用カード３２ｂをカード発行制御装置１０により発行する。そして、各客室のカード式電気錠２０に設定用カード３２ｂの情報を読み込ませる。設定用カード３２ｂの情報が読み込まれると、電気錠制御手段２２ｂから時計管理部２１に時計制御信号が出力され、内部時計２１ｃが標準時間に自動修正される。このとき、施工時中に施工関係者が使用していた施工時用カードは使用不可に制御される。そして、電気錠制御手段２２ｂは、設定用カード３２ｂから読み込んだ設定情報に基づいてカード式電気錠２０の初期設定を行う。また、電気錠制御手段２２ｂは、設定情報による初期設定が終了すると、設定用カード３２ｂを非常用カード３２ｂに書き換えるための書換情報をカード情報読書手段２２ａに出力する。そして、カード情報読書手段２２ａは、電気錠制御手段２２ｂから出力された書換情報に基づいて設定用カード３２ｂを非常用カード３２ｂに変更するために、カード内容の書き換えを行う。                            
【００５０】
次に、上述した第１実施例及び第２実施例において、従業員がカード式電気錠２０の履歴情報を収集する場合の動作について説明する。まず、履歴カード３２ａをカード式電気錠２０のカード情報読書手段２２ａに読み込ませる。そして、電気錠制御手段２２ｂは、カード情報読書手段２２ａが読み込んだカード情報から履歴カード３２ａと認識すると、書込信号をカード情報読書手段２２ａに出力する。これにより、カード情報読書手段２２ａは、記憶手段２２ｃに記憶されている履歴情報を履歴カード３２ａに書き込む。これにより、従業員は、履歴カード３２ａに書き込まれた履歴情報をカード発行制御装置１０によって読み出し、この読み出した履歴情報を表示部１４に一覧表示させることによりカード式電気錠２０の操作履歴を確認することができる。
【００５１】
次に、上述した第１実施例及び第２実施例において、カード式電気錠２０にエラーが発生した場合の動作について説明する。宿泊者用カード３１を用いてカード式電気錠２０の施解錠を行っている際にカード式電気錠２０でエラーが発生した場合には、エラーの種類や内容を特定するエラーコードが電気錠制御手段２２からカード情報読書手段２２ａに出力される。そして、カード情報読書手段２２ａは、電気錠制御手段２２からのエラーコードを宿泊者用カード３１に書き込む。これにより、ホテル従業員は、エラーコードの書き込まれた宿泊者用カード３１が宿泊者から手渡されたときに、その宿泊者用カード３１に記憶されたエラーコードからエラー内容を解析することができる。そして、ホテル従業員や保守員、サービスマンは、解析したエラー内容に基づいてカード式電気錠２０の復旧を行う。
【００５２】
このように、本例のホテルカードロックシステム１では、カード式電気錠２０の初期設定を行う際、初回発行時の宿泊者用カード３１又は設定用カード３２ｂに記憶させた設定情報をカード式電気錠２０に読み込ませ、この読み込んだ設定情報に基づいて各客室毎に配設されたカード式電気錠２０の初期設定をカードを媒体として行う。これにより、操作手順が複雑な専用端末である従来のようなデータ入力器を使用する必要がなく、誰でも簡単にカード式電気錠２０の初期設定を簡便に行うことができる。そして、従来のような専用端末による入力を必要とせず、カードを媒体として出荷時の工事中状態からホテル運用状態に簡単に設定できるので、例えば部屋番号の設定間違えなど誤入力によるミスを防止できる。しかも、取り扱う製品が少なくなるので、ホテルスタッフの負担を軽減することができる。
【００５３】
また、本例によれば、カード式電気錠２０の履歴情報やエラーに係るエラーコードをそれぞれ履歴カード３２ａと宿泊者用カード３１に書き込んでカード発行制御装置１０で確認することができる。このため、即座にエラーやログの解析ができ、従来のようにその都度専用端末を使用する必要がなく、ゲストへの満足度が増し、ホテルカードロックシステム１の管理を効率的に行うことができる。しかも、エラーの解析結果によっては、ホテル従業員でも即座に対処することが可能なので、メーカや販売店を呼ぶ必要がなくなり、その分だけホテル側の費用負担も軽減できる。
【００５４】
さらに、本例では、カード式電気錠２０に標準電波を受信する時計管理部２１を備えている。このため、カード読み込み時に内部時計２１ｃが常に標準時間に修正され、時計狂いが一切なくなり、常に正確な時間を刻むことができる。その結果、従来のような専用端末を用いた時間設定や定期的な時間修正が不要となり、カード式電気錠２０の操作履歴などの履歴情報を正確な時間で履歴カードに記録することができる。また、カード読み込み時のみ時計管理部２１の電源がＯＮされるので、余計な電力消費を抑えて省電力化を図ることができる。
【００５５】
また、非常用カードは、システムダウンした場合に無期限のカードとして利用されるもので、従来はシステム立ち上げ時に必ず発行していたが、本例では、設定用カード３２ｂの設定情報に基づいてカード式電気錠２０の初期設定が正常に行われると、設定用カード３２ｂ内の情報が書き換えられて非常用カードに切り替わるようになっているので、設定用カード３２ｂと兼用することができる。
【００５６】
以上、本発明を用いて最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００５７】
【図１】本発明に係るホテルカードロックシステムの概略を示すシステム構成図である。
【図２】本発明に係るホテルカードロックシステムの第１実施例を示す説明図である。
【図３】本発明に係るホテルカードロックシステムの第２実施例を示す説明図である。
【符号の説明】
【００５８】
１  ホテルカードロックシステム
１０  カード発行制御装置
１１  情報制御部
１１ａ  情報作成部
１１ｂ  情報記憶部
１２  カード発行部
１３  操作部
１４  表示部
２０  カード式電気錠
２１  時計管理部
２１ａ  電波受信手段
２１ｂ  時計データ制御手段
２１ｃ  内部時計
２２  電気錠制御部
２２ａ  カード情報読書手段
２２ｂ  電気錠制御手段
２２ｃ  記憶手段
２３  駆動機構
２４  電源部
３１  宿泊者用カード
３２  管理用カード
３２ａ  履歴カード
３２ｂ  設定用カード（非常用カード）
【図１】
2006265858.tif 000003
【図２】
2006265858.tif 000004
【図３】
2006265858.tif 000005